(57)【要約】 【課題】  例えば銀イオン生成器を備えた自動車用フロアマットの洗浄装置に好適で、銀イオン水による殺菌効果を確実かつ能率良く得られるとともに、銀イオン水の消費を節減し、使用コストの低減を図る一方、雑菌の繁殖やカビの発生並びに異臭の発生を防止し、洗浄後のマットを速やかに乾燥し、その速やかな利用を図れるマット洗浄装置を提供すること。【解決手段】  筐体２内にマット１２を移動可能なマット通路５０を設ける。  前記マット通路５０に沿って少なくとも送りロ−ラ１４と絞りロ−ラ１６とを配置する  前記マット通路５０に向けて洗浄液を噴出可能な散水管３６を配置する。  前記洗浄液の供給導管２３に、金属イオンを生成可能な金属イオン生成器２４を介挿する。  前記金属イオンを洗浄液に添加し、かつこれを前記散水管３６に供給可能にしたマット洗浄装置であること。  前記金属イオン生成器２４と散水管３６との間の洗浄液供給導管２３に開閉弁２８を介挿する。  前記開閉弁２８を前記送りロ−ラ１４と絞りロ−ラ１６の駆動前は閉弁可能にする。【選択図】図４
2006068209.tif 000002
【特許請求の範囲】
【請求項１】
筐体内にマットを移動可能なマット通路を設け、該マット通路に沿って少なくとも送りロ−ラと絞りロ−ラとを配置し、前記マット通路に向けて洗浄液を噴出可能な散水管を配置する一方、前記洗浄液の供給導管に金属イオンを生成可能な金属イオン生成器を介挿し、前記金属イオンを洗浄液に添加し、かつこれを前記散水管に供給可能にしたマット洗浄装置において、前記金属イオン生成器と散水管との間の洗浄液供給導管に開閉弁を介挿し、該開閉弁を前記送りロ−ラと絞りロ−ラの駆動前は閉弁可能にしたことを特徴とするマット洗浄装置。
【請求項２】
前記洗浄液供給導管に連通可能な複数の散水管を設け、該散水管を前記送りロ−ラの前後位置または送りロ−ラと絞りロ−ラとの間に配置した請求項１記載のマット洗浄装置。
【請求項３】
前記散水管を前記開閉弁より下流側の洗浄液供給導管に連通させた請求項１または請求項２記載のマット洗浄装置。
【請求項４】
前記絞りロ−ラより後方のマット通路に臨ませて圧縮空気を噴出可能な送風管を配置した請求項１記載のマット洗浄装置。
【請求項５】
前記送風管を接続した給気管にヒ−タを介挿した請求項４記載のマット洗浄装置。
【請求項６】
前記金属イオン生成器より下流側の洗浄液供給導管に開閉弁を介挿し、該開閉弁に取り出し管を接続した請求項１記載のマット洗浄装置。
【発明の詳細な説明】
【技術分野】
【０００１】
本発明は、例えば銀イオン生成器を備えた自動車用フロアマットの洗浄装置に好適で、銀イオン水による殺菌効果を確実かつ能率良く得られるとともに、銀イオン水の消費を節減し、使用コストの低減を図る一方、雑菌の繁殖やカビの発生並びに異臭の発生を防止し、洗浄後のマットを速やかに乾燥し、その速やかな利用を図れるようにしたマット洗浄装置に関する。
【背景技術】
【０００２】
例えば、従来の自動車用フロアマットの洗浄装置は、装置筐体の内部にマットを搬送可能なロ−ラコンベア等の搬送手段を備え、該搬送手段の上流側から順に、洗浄剤散布手段と、洗浄剤の滲み込みを促進するブラッシングロ−ラと、洗浄剤を吸引する一次バキュ−ム手段と、水洗手段と、水洗水を吸引する二次バキュ−ム手段とを配置していた（例えば、特許文献１参照）。
【０００３】
しかし、前記洗浄装置は、一次および二次バキュ−ム手段によって、洗浄剤と水洗水とを別々に吸引しているため、それらの吸引を充分に行なうことが難しく、特に毛足の長いマットは、その後の乾燥に時間が掛かり、これを半乾き状態で車室内に敷設すると、雑菌が繁殖して異臭が発生し、車室環境が劣化する問題があった。
【０００４】
このような問題を解決するものとして、マットの進行方向に沿って送りロ−ラと、ブラシロ−ラと絞りロ−ラを順次配置し、前記ブラシロ−ラの上方に洗浄液を散布可能な散水パイプを配置したマットクリ−ナ本体を設け、該クリ−ナ本体と別個に、前記散水パイプにオゾン気泡と水との混合液を供給する、エゼクタを備えたオゾン混合液供給装置を設け、これらを給水管に連通する導管で接続し、オゾン混合液によってマットの雑菌の繁殖を防止し、異臭の発生を防止するようにしたものがある（例えば、特許文献１参照）。
【０００５】
しかし、前記の装置は、マットクリ−ナ本体の他にオゾン混合液供給装置を要して、高価で設置スペ−スを要し、また絞りロ−ラによってオゾン水を直ちに水切りするため、マットに対しオゾン水を十分に添加ないし浸透させることが難しく、折角のオゾン水による殺菌効果が不充分である一方、絞りロ−ラから送り出されたマットは、その後は自然乾燥によるため、マットの速やかな利用を図れず、雑菌の繁殖防止を確実に得られない、という問題があった。
【０００６】
ところで、近時、殺菌力を有する金属イオンに着目し、金属イオンを生成する生成器を内蔵し、該生成器で生成した銀イオンを洗浄水に添加し、洗濯物に付着する雑菌を死滅させ、洗濯物の異臭の発生やカビの発生を防止するようにした洗濯機が提案されている（例えば、特許文献３および４参照）。
【０００７】
しかし、前記一方の洗濯機は、洗濯槽に収容する洗濯水に銀イオンを添加して洗濯物を洗濯するため、銀イオンの所定の殺菌効果を得るには多量の銀イオンを要し、その使用コストが高価になるという問題がある。
このため、他方の洗濯機は、洗浄工程の最終のすすぎ工程で、洗浄水に銀イオンを添加して対応しているが、それでも多量の銀イオンを要し、前述の問題を解消することができない。
【０００８】
【特許文献１】特開平４−３０５２８１号公報
【特許文献２】登録実用新案第３０２６１２４号公報
【特許文献３】実開平５−７４４８７号公報
【特許文献４】特開２００１−２７６４８４号公報
【発明の開示】
【発明が解決しようとする課題】
【０００９】
本発明はこのような問題を解決し、例えば銀イオン生成器を備えた自動車用フロアマットの洗浄装置に好適で、銀イオン水による殺菌効果を確実かつ能率良く得られるとともに、銀イオン水の消費を節減し、使用コストの低減を図る一方、雑菌の繁殖やカビの発生並びに異臭の発生を防止し、洗浄後のマットを速やかに乾燥し、その速やかな利用を図れるようにしたマット洗浄装置を提供することを目的とする。
【課題を解決するための手段】
【００１０】
請求項１の発明は、筐体内にマットを移動可能なマット通路を設け、該マット通路に沿って少なくとも送りロ−ラと絞りロ−ラとを配置し、前記マット通路に向けて洗浄液を噴出可能な散水管を配置する一方、前記洗浄液の供給導管に金属イオンを生成可能な金属イオン生成器を介挿し、前記金属イオンを洗浄液に添加し、かつこれを前記散水管に供給可能にしたマット洗浄装置において、前記金属イオン生成器と散水管との間の洗浄液供給導管に開閉弁を介挿し、該開閉弁を前記送りロ−ラと絞りロ−ラの駆動前は閉弁可能にし、マットの洗浄前における散水管への洗浄液ないし金属イオン水の供給を停止し、洗浄液ないし金属イオン水の浪費を防止して、使用コストの低減を図るようにしている。
【００１１】
請求項２の発明は、前記洗浄液供給導管に連通可能な複数の散水管を設け、該散水管を前記送りロ−ラの前後位置または送りロ−ラと絞りロ−ラとの間に配置し、マットに洗浄液ないし金属イオン水を複数回吹き付け、これを充分かつ精密に吹き付けて、洗浄ないし金属イオンのコ−ティング効果を高めるようにしている。
請求項３の発明は、前記散水管を前記開閉弁より下流側の洗浄液供給導管に連通させ、マットの洗浄前における洗浄液ないし金属イオン水の供給停止を実現するようにしている
【００１２】
請求項４の発明は、前記絞りロ−ラより後方のマット通路に臨ませて圧縮空気を噴出可能な送風管を配置し、洗浄液を水切りしたマットの乾燥を促し、洗浄後の速やかな利用を図るようにしている。
請求項５の発明は、前記送風管を接続した給気管にヒ−タを介挿し、前記マットに温風を吹き付けるようにして、マットの乾燥を促進するようにしている。
請求項６の発明は、前記金属イオン生成器より下流側の洗浄液供給導管に開閉弁を介挿し、該開閉弁に取り出し管を接続し、金属イオン水の取り出しを実現するとともに、金属イオン水の多様な利用に応じられるようにしている。
【発明の効果】
【００１３】
請求項１の発明は、金属イオン生成器と散水管との間の洗浄液供給導管に開閉弁を介挿し、該開閉弁を前記送りロ−ラと絞りロ−ラの駆動前は閉弁可能にしたから、マットの洗浄前における散水管への洗浄液ないし金属イオン水の供給を停止し、洗浄液ないし金属イオン水の浪費を防止して、使用コストの低減を図ることができる。
請求項２の発明は、前記洗浄液供給導管に連通可能な複数の散水管を設け、該散水管を前記送りロ−ラの前後位置または送りロ−ラと絞りロ−ラとの間に配置したから、マットに洗浄液ないし金属イオン水を複数回吹き付け、これを充分かつ精密に吹き付けて、洗浄ないし金属イオンのコ−ティング効果を高めるようにしている。
請求項３の発明は、前記散水管を前記開閉弁より下流側の洗浄液供給導管に連通させたから、マットの洗浄前における洗浄液ないし金属イオン水の供給停止を実現するようにしている。
【００１４】
請求項４の発明は、前記絞りロ−ラより後方のマット通路に臨ませて圧縮空気を噴出可能な送風管を配置したから、洗浄液を水切りしたマットの乾燥を促し、洗浄後の速やかな利用を図ることができる。
請求項５の発明は、前記送風管を接続した給気管にヒ−タを介挿したから、前記マットに温風を吹き付けて、マットの乾燥を促進することができる。
請求項６の発明は、前記金属イオン生成器より下流側の洗浄液供給導管に開閉弁を介挿し、該開閉弁に取り出し管を接続したから、金属イオン水の取り出しを実現し、金属イオン水の多様な利用に応じられる効果がある。
【発明を実施するための最良の形態】
【００１５】
以下、本発明を自動車用フロアマットの洗浄装置に適用した図示の実施形態について説明すると、図１乃至図５において１はスタンド型の洗浄装置で、後述の各種ロ−ラを内蔵した箱形の筐体２と、該筐体２の両端部を支持する左右一対の脚柱３と、該脚柱３の下端部を連結する脚杆４と、該脚杆４の前後両端部に回転自在に支持したキャスタ−５とキャスタ−固定金具６とを備えている。
図中、７は左右の脚杆４，４を連結する連結杆、８は筐体２の直下に配置したネット状のマット受、９は床面である。
【００１６】
前記筐体２の前部中高位置にテ−ブル１０が前方へ張り出され、該テ−ブル１０の直上にマット挿入口１１が開口され、該挿入口１１に合成樹脂製またはゴム製のフロアマット１２を挿入可能にしている。
前記フロアマット１２は柔軟な板状に成形され、その一側面に植毛１３が設けられていて、該植毛１３を下向きにしてマット挿入口１１に差し込まれる。この場合、フロアマット１２は両側面に植毛１３を設けたものでもよい。
【００１７】
前記筐体２の内部に、前記マット挿入口１１に連通するマット通路５０が設けられ、該通路５０は前半の導入部５０ａが略水平に形成され、後半部が緩やかに迫り上がって形成されている。
このうち、前記導入部５０ａの前部に一対の送りロ−ラ１４が上下に配置され、その後部の少なくとも下側にブラシロ−ラ１５が配置され、また後半の送り出し部５０ｂの前部に、柔軟な一対の絞りロ−ラ１６が上下に配置されていて、これらのロ−ラ１４〜１６間にフロアマット１２を挟圧または接触させて移動可能にしている。
【００１８】
図中、１７は前記筐体２の内部に設けたモ−タで、その出力軸に大小異径の駆動スプロケット１８，１９が設けられ、これらのスプロケット１８，１９と前記下側の各ロ−ラ１４〜１６のスプロケット（図示略）間にチェ−ン２０，２１が巻き掛けられ、該下側の各ロ−ラ１４〜１６を回動可能にしている。
【００１９】
前記洗浄装置１に、洗浄液を構成する水道水等の給水源２２に連通する、洗浄液供給導管である給水管２３が配管され、その他端が前記筐体２の内部に配管されている。前記給水管２３に金属イオン水生成器、実施形態では銀電極（図示略）を内臓した公知の銀イオン水生成器２４が介挿され、該生成器２４は前記筐体２の前部直下位置に取り付けられ、生成した銀イオンを水道水に溶出して銀イオン水を生成し、これを給水管２３の下流側に供給可能にしている。
図中、２５は銀イオン水生成器２４の操作スイッチで、そのＯＮ時に前記銀電極に通電可能にされ、通水条件下で銀イオン水を生成可能にしている。２６はＡＣ／ＤＣアダプタである。
【００２０】
前記銀イオン水生成器２４より下流側の給水管２３に、水量調節弁２７と開閉弁２８とが離間して介挿され、このうち開閉弁２８は、後述するモ−タの操作スイッチがＯＮ時に開弁可能にされ、該開閉弁２８の下流側にバイパス管２９が分岐して配管されている。
図中、３０は水量調節弁２７の操作レバ−で上下動可能にされ、３１は前記モ−タ１７の操作スイッチで、その操作レバ−３２が上下動可能にされ、これらの操作レバ−３０，３２が一方のサイドカバ−３３、およびその近接位置に取り付けられている。
前記操作レバ−３２はモ−タ１７の駆動時に引き上げられるとともに、モ−タ１７の駆動停止時に引き下げられ、かつその引き下げ時に操作レバ−３２を同動させ、給水を停止可能にしている。３４は前記モ−タ１７の電源回路に介挿したヒュ−ズである。
【００２１】
前記給水管２３の下流側端部が、送りロ−ラ１４とブラシロ−ラ１５との間に水平部１３ａの直下に配置され、またバイパス管２９の下流側端部が送りロ−ラ１４より上流側の水平部１３ａの直下に配置され、これらの管端部に散水管３５，３６が接続されている
前記散水管３５，３６は前記マット通路５０と直交し、かつ前記送りロ−ラ１４およびブラシロ−ラ１５と平行に配置されていて、その長さはマット１２の幅と少なくとも略同幅に形成され、その上部周面に銀イオン水を噴出可能な複数の噴口３７，３８が形成されている。
【００２２】
前記絞りロ−ラ１６より後方の迫り上がり部１３ｂの直下に、送風管３９が前記マット通路５０と直交し、かつ絞りロ−ラ１６と平行に配置されていて、その長さはマット１２の幅と少なくとも略同幅に形成され、その上部周面に温風を噴出可能な噴口４０が形成されている。
前記送風管３９に給気管４１が接続され、その他端はエア−コンプレッサ等の給気源４２に接続され、該給気管４１に管状のヒ−タ４３が介挿されている。
【００２３】
前記ヒ−タ４３は内部に給気管４１と連通するヒ−タパイプ４４を有し、該パイプ４４の内部に管状の面状ヒ−タ４５を有し、該ヒ−タ４５の両端部に電極４６が導出され、ヒ−タパイプ４４の外周に断熱材４７が被覆されている。前記電極４６はモ−タ１７の起動と同時に通電可能にされ、面状ヒ−タ４５を発熱可能にしている。
【００２４】
なお、実施形態では散水管３５，３６と送風管３９とをマット通路５０の下側に配置しているが、これを上側に配置し、または上下両側に配置することも可能である。
この他、図中４８は、前記銀イオン水生成器２４より下流側の給水管２３に介挿した開閉弁で、常時は閉弁され、該弁４８に取り出し管４９が接続され、該管４９を介して銀イオン水を取り出し可能にしている。
【００２５】
このように構成したマット洗浄装置は、給水管２３に銀イオン水生成器２４を介挿し、これを筐体２の一側端部の直下に配置し、またその操作スイッチ２５を銀イオン水生成器２４の直上のサイドカバ−３３に取り付け、銀イオン水生成器２４の交換作業の利便と操作スイッチ２５の操作の利便を図っている。
【００２６】
また、銀イオン水生成器２４より下流側の給水管２３を二つに分け、それらの下流側端部に散水管３５，３６を接続し、その一方の散水管３５を下側の送りロ−ラ１４とブラシロ−ラ１５の間に配置し、他方の散水管３６を下側の送りロ−ラ１４の前方に配置する。
更に、給気源４２に接続する給気管４１を絞りロ−ラ１６より後方の送り出し部５０ｂの直下に配管し、その一端に送風管３９を接続し、該管３９の近接位置にヒ−タ４３を介挿する。
【００２７】
このように前記マット洗浄装置は概ね、銀イオン水生成器２４の接続と、散水管３５と送風管３９および給気管４１の配管によって構成されるから、従来のマット洗浄装置の大幅な設計変更を来たすことなく製作でき、また既設のマット洗浄装置の改変にも応じられる。
【００２８】
こうして製作したマット洗浄装置を使用してフロアマット１２を洗浄する場合は、給水管２３を水道水の水源２２に接続し、該管２３に水道水を送水し、また給気管４１に圧縮空気を送り込む。
このようにすると、水道水が給水管２３に導かれて銀イオン水生成器２４内を通過する  その際、銀イオン水生成器２４はＯＦＦ状態に置かれているから、銀イオン水は生成されず、水道水が開閉弁２８へ移動する。
【００２９】
また、操作スイッチ３１がＯＦＦ状態の下では、開閉弁２８が閉弁されているから、該開閉弁２８より下流側の給水管２３とバイパス管２９には送水されない。
一方、操作スイッチ３１のＯＦＦ時にはヒ−タ４３がＯＦＦ状態に置かれる。
したがって、圧縮空気はヒ−タ４３内を通過して送風管３９に導かれ、これが噴口４０からマット通路５０に向かって送風される。
【００３０】
この後、操作レバ−３２を引き上げ、操作スイッチ３１をＯＮすると、モ−タ１７が始動し、その出力側の駆動スプロケット１８，１９が回動して、それらに巻き掛けたチェ−ン２０，２１が周回し、これに連係する下側の送りロ−ラ１４と、絞りロ−ラ１６、およびブラシロ−ラ１５とが一斉に回動する。
【００３１】
また、前記操作スイッチ３１がＯＮして開閉弁２８が開弁され、開閉弁２８より下流側の給水管２３とバイパス管２９とがそれぞれ導通し、それらの管端部に接続した散水管３５，３６の噴口３７，３８から水道水が噴出する。したがって、フロアマット１２を単に水洗いする場合は、前述の使用法が採られる。
なお、前記操作スイッチ３１のＯＮに伴なって、ヒ−タ４３がＯＮされ、面状ヒ−タ４５が発熱して、その温風が噴口４０から吹き出される。
【００３２】
一方、フロアマット１２を銀イオンコ−ティングする場合は、銀イオン水生成器２４の操作スイッチ２５をＯＮし、銀イオン水生成器２４を作動する。
このようにすると、銀イオン水生成器２４内の銀電極（図示略）が通電されて銀イオンが発生し、該銀イオンが通水下の水道水に溶出して銀イオン水が生成され、該銀イオン水が給水管２３とバイパス管２９に導かれ、これが散水管３５，３６の噴口３７，３８から噴出する。
【００３３】
このような状況の下で洗浄するフロアマット１２を保持し、その植毛１３を下向きにしてテ−ブル１０上に載せ、その先端部をマット挿入口１１に差し込む。
このようにすると、フロアマット１２が送りロ−ラ１４，１４間に挟み込まれて本体１内に引き込まれ、ブラシロ−ラ１５側へ移動する。
その際、フロアマット１２は送りロ−ラ１４，１４の導入直前に、散水管３６から銀イオン水を吹き付けられ、また送りロ−ラ１４，１４を通過後、ブラシロ−ラ１５の導入直前に、別の散水管３５から銀イオン水を吹き付けられる。
【００３４】
このようにフロアマット１２は、二度に亘って銀イオン水を吹き付けられるから、植毛１３およびその奥部に亘って銀イオン水が精密に浸透し、そのコ−ティング効果ないし殺菌効果の実効を高める。
この場合、植毛１３と反対側のフロアマット１２の他側面は、銀イオン水を吸収し若しくは付着した上側の送りロ−ラ１４と、後方の上側の絞りロ−ラ１４とに接触して、銀イオン水をコ−ティングされ、同様なコ−ティング効果と殺菌効果とを得られる。
【００３５】
この後、フロアマット１２はブラシロ−ラ１５上を移動し、植毛１３を掻き分けられて、銀イオン水を更に精密に浸透させる。
こうして銀イオン水を吹き付け後、フロアマット１２はマット通路５０の送り出し部５０ｂへ移動し、絞りロ−ラ１６，１６間に挟圧されて銀イオン水を絞り出され、水切りされる。
そして、絞りロ−ラ１６を通過後、送風管３９から温風を吹き付けられて乾燥を促され、マット通路５０を移動したところでマット受８に落下し、一連の洗浄を収容する。
【００３６】
こうして洗浄されたフロアマット１２は、両側面を銀イオン水でコ−ティングされ、その殺菌効果によって雑菌の繁殖とカビの発生を防止し、その異臭の発生を防止する。
また、フロアマット１２は、絞りロ−ラ１４で銀イオン水を水切りされ、更に植毛１３側に温風を吹き付けて乾燥を促しているから、雑菌の繁殖とカビの発生を防止する。
したがって、洗浄後、フロアマット１２の速やかな使用を図れ、そのようにしても車室環境を低下させる心配がない。
【００３７】
なお、フロアマット１２の洗浄後、開閉弁４８を開弁して給水管２３内の銀イオン水を取り出し管４９に導き、これをバケツ等の容器に取り出せば、フロアマット１２の洗浄と別に直接銀イオン水の使用を図れる。
【産業上の利用可能性】
【００３８】
このように本発明のマット洗浄装置は、銀イオン水による殺菌効果を確実かつ能率良く得られるとともに、銀イオン水の消費を節減し、使用コストの低減を図る一方、雑菌の繁殖やカビの発生並びに異臭の発生を防止し、洗浄後のマットを速やかに乾燥し、その速やかな利用を図れるようにしたから、例えば銀イオン生成器を備えた自動車用フロアマットの洗浄装置に好適である。
【図面の簡単な説明】
【００３９】
【図１】本発明をスタンド型のマット洗浄装置に適用した斜視図である。
【図２】前記マット洗浄装置の側面図で、筐体内部の構造と洗浄液ないし金属イオン水の配管系を概観的に示している。
【図３】前記マット洗浄装置に適用したモ−タおよび銀イオン生成器の電気回路図の要部を示している。
【図４】本発明装置の筐体内部機構の要部を拡大して示す断面図で、フロアマットの洗浄ないし銀イオン水のコ−ティング状況を示している。
【図５】図４のＡ−Ａ線に沿う拡大断面図である。
【符号の説明】
【００４０】
２        筐体
１２        マット（フロアマット）
１４        送りロ−ラ
１６        絞りロ−ラ
２３        洗浄液供給導管（給水管）
２４        金属イオン生成器（銀イオン生成器）
２８        開閉弁
３５        散水管
３６        散水管
３９        送風管
４３        ヒ−タ
４８        開閉弁
４９        取り出し管
５０        マット通路
【図１】
2006068209.tif 000003
【図２】
2006068209.tif 000004
【図３】
2006068209.tif 000005
【図４】
2006068209.tif 000006
【図５】
2006068209.tif 000007